(57)【特許請求の範囲】
【請求項１】
車両情報を含む警報音を利用者に提供する聴覚情報提供手段と、前記警報音に関する各種設定を登録するカスタマイズモードを有する制御手段と、前記カスタマイズモードにおける前記各種設定の内容を定めるための入力手段と、前記各種設定の内容を登録するための記憶手段とを備えた車両用情報提供装置において、
前記記憶手段に登録される前記各種設定の内容には、前記利用者の好みに応じた前記警報音の音圧及び前記警報音の周波数の補正項目が含まれ、
前記制御手段は、前記入力手段から入力される、少なくとも１つの前記警報音の音圧または前記警報音の周波数の値により前記利用者の年齢を推定し、推定した年齢情報に対応した前記警報音の音圧または前記警報音の周波数の補正テーブルを参照して、前記警報音の音圧または前記警報音の周波数の補正量を決めることを特徴とする車両用情報提供装置。
【発明の詳細な説明】
【技術分野】
【０００１】
本発明は、聴覚情報を用いて利用者に各種情報を提供する車両用情報提供装置に関し、特に利用者の好みに応じて聴覚情報をカスタマイズ可能な車両情報提供装置に関するものである。
【背景技術】
【０００２】
従来、この種の車両用情報提供装置としては、例えば下記特許文献１に記載されているものが知られている。この特許文献１に記載の車両用情報提供装置は、ディスプレイ手段（視覚情報提供手段）と、音声出力手段（聴覚情報提供手段）とを備え、ディスプレイ手段には視覚情報として走行距離値、電圧値、時刻といった通常情報と所定の警報情報が表示され、音声出力手段には緊急を要する情報や視覚情報では誤解を招く虞のある情報が聴覚情報として音声出力するよう搆成されている。また、特許文献１に記載の車両用情報提供装置には、ディスプレイ手段と音声出力手段の双方を通じて内容的に重複する特定の警報情報を提供する点も記載されている。
【先行技術文献】
【特許文献】
【０００３】
【特許文献１】特開平９−６６７８３号公報
【発明の概要】
【発明が解決しようとする課題】
【０００４】
上述した特許文献１に記載の車両用情報提供装置は、視覚情報と聴覚情報を組み合わせて利用者に各種情報を提供するものであり、利用者の使い勝手の向上が図られている。特に、聴覚情報に関しては、利用者の聴覚特性、好みが人それぞれ異なるため、聴覚情報を報知するための聴覚情報提供手段のカスタマイズ化が望まれている。さらに、このカスタマイズ化に伴って車両情報である聴覚情報を報知する聴覚情報提供手段の使い勝手の向上を図り、利便性に優れた車両用情報提供装置が望まれている。
【０００５】
本発明は、前述した問題点に着目してなされたものであり、今後、車両ヘの搭載比率が高まることが予想される聴覚情報提供手段を備えた車両用情報提供装置において、車両情報を含む聴覚情報を報知する聴覚情報提供手段のカスタマイズ化を実現し、聴覚情報提供手段の使い勝手を向上させ、利便性に優れた車両用情報提供装置の提供を目的とするものである。
【課題を解決するための手段】
【０００６】
本発明は、車両情報を含む警報音を利用者に提供する聴覚情報提供手段と、前記警報音に関する各種設定を登録するカスタマイズモードを有する制御手段と、前記カスタマイズモードにおける前記各種設定の内容を定めるための入力手段と、前記各種設定の内容を登録するための記憶手段とを備えた車両用情報提供装置において、前記記憶手段に登録される前記各種設定の内容には、前記利用者の好みに応じた前記警報音の音圧及び前記警報音の周波数の補正項目が含まれ、前記制御手段は、前記入力手段から入力される、少なくとも１つの前記警報音の音圧または前記警報音の周波数の値により前記利用者の年齢を推定し、推定した年齢情報に対応した前記警報音の音圧または前記警報音の周波数の補正テーブルを参照して、前記警報音の音圧または前記警報音の周波数の補正量を決めることを特徴とする。
【発明の効果】
【０００９】
本発明は、車両用情報提供装置において、利用者の聴覚特性，好みに応じた聴覚情報提供手段のカスタマイズ登録が可能であり、様々な聴覚特性，好みを持った利用者の要求に応え、車両用情報提供装置の利便性を向上させることができる。
【発明を実施するための最良の形態】
【００１０】
以下、添付図面に基づいて、本発明の一実施形態について説明する。
【００１１】
図１において、車両用情報提供装置１００は、車両情報を含む各種情報を表示する視覚情報提供手段である表示部１０１と、エンジン回転数をアナログ表示する回転計１０２と、タンク内燃料量をアナログ表示する燃料計１０３と、エンジン冷却水の温度をアナログ表示する温度計１０４とを有する車両用計器（車両用メータ）からなる。
【００１２】
表示部１０１は、例えばＴＦＴ等の液晶表示装置（ＬＣＤ）からなる電子式表示パネルが用いられ、後述する各種警報に係わる視覚情報（視覚警報）の他、車速や走行距離、図示しない各種センサからの検出情報や同じく図示しないスイッチからの状態情報等に応じて様々な内容の視覚情報を表示する。
【００１３】
また、回転計１０２、燃料計１０３並びに温度計１０４は、それぞれ指針やこの指針によって指示される指標部を少なくとも有する指針式表示部（アナログ式計器）からなる。
【００１４】
図２は、車両用情報提供装置１００のシステム構成を示すブロック図である。その構成としては、車両用情報提供装置１００をカスタマイズモードに移行させるための設定手段（カスタマイズモード設定端子）２１０と、カスタマイズモード実行時にカスタマイズモードにおける各種設定内容を定める（設定あるいは選択する）ための入力手段２１１と、車両情報の入出力を行う車両情報端子２１２及び多重通信入出力端子２１３と、車両インターフェース（車両Ｉ／Ｆ）手段２０１と、車両用情報提供装置１００の制御を行う例えばマイクロコンピュータからなる制御手段２０２と、制御手段２０２の処理プログラムが格納されたＲＯＭ等からなる第１の記億手段２０３と、入力手段２１１によって設定される各種設定の内容を乗員（利用者）毎に登録するためのＥＥＰＲＯＭ等の不揮発性メモリからなる第２の記憶手段（記億手段）２０４と、各種情報を視覚的に表示する表示部１０１と、表示部１０１の表示制御及び各種指針式表示部１０２、１０３、１０４の駆動制御を行う駆動手段２０５と、車両情報を含む聴覚情報を利用者に報知（提供）するための聴覚情報提供手段２４０とを有している。
【００１５】
かかる聴覚情報提供手段２４０は、制御手段２０２から出力される例えばシートベルト警報指示信号からなる第１の出力信号と制御手段２０２から出力される例えばコーナーセンサ警報指示信号からなる第２の出力信号と制御手段２０２から出力される例えばバックソナー警報指示信号からなる第３の出力信号とを混合するミキシング手段２５０と、ミキシング手段２５０からの出力信号を増幅するアンプ２６０と、アンプ２６０からの増幅信号を出力するスピーカ２７０とで構成され、前記各種警報に係わる情報を含む車両の各種状態となる聴覚情報を音により利用者に報知（提供）する。なお、本実施形態の場合、スピーカ２７０は、聴覚情報提供手段２４０の一部を構成するものであったが、例えば後述するオーディオのスピーカを適用することも可能である。
【００１６】
また、車両用情報提供装置１００は、乗員識別手段であるキーレスエントリ装置２２０の送信機２２１及び受信機２２２と、オーディオ２２３と、車両の車庫入れや縦列駐車等の際、障害物を検知して報知するコーナーセンサ装置２２４、バックソナー装置２２５等からなる障害物警報装置とが多重通信線（多重通信ライン）２３０を介して接続されている。なお、制御手段２０２は、多重通信入出力端子２１３及び多重通信線２３０を介してオーディオ２２３へ音量のミュート指示を行う指示信号を出力することが可能である。
【００１７】
次に、図２〜図６を用いてカスタマイズモードについて説明する。図３は、車両用情報提供装置１００をカスタマイズモードに移行させたとき、表示部１０１に表示される各種設定の内容を示すものである。
【００１８】
車両の利用者は、カスタマイズモード設定端子２１０を外部より操作して制御手段２０２が予め有しているカスタマイズモードへ移行するように制御手段２０２に指示を与える。具体的には、カスタマイズモード設定端子２１０の通常電位が「ハイ」レベルにある端子をスイッチ等の所定操作により「ロー」レベルに変更することで制御手段２０２による認識が可能となる。制御手段２０２は、聴覚情報に関する各種設定を登録するためのカスタマイズモードへ移行すると、駆動手段２０５を介して表示部１０１を通常表示から図３に示すカスタマイズモードの初期画面表示（初期画面３００）へ切り替える処理を実行する。
【００１９】
かかる初期画面３００は、利用者が、入力手段２１１を介して各聴覚情報に対する聴覚特性を選択する画面である。ここで図３中、各警報音（具体的には、シートベルト未着用を報知するシートベルト未着用警報音、車両の車庫入れや縦列駐車の際、障害物を検知して報知するコーナーセンサ警報音並びにバックソナー警報音等）に関する聴覚特性の項目には、周波数と音圧（音圧レベル）に関する項目が含まれている。
【００２０】
ここで、各警報音における周波数、音圧の初期値は、シートベルト未着用警報音に関しては周波数Ｆ１、音圧Ｐ（初期音圧Ｐ）となっており、コーナーセンサ警報音に関しては周波数Ｆ２、音圧Ｐ（初期音圧Ｐ）となっており、バックソナー警報音に関しては周波数Ｆ３、音圧Ｐ（初期音圧Ｐ）となっている（図５（ａ）参照）。
【００２１】
また、利用者が初期画面３００の中央に設けられたアップダウンマークＳ１を選択することで各警報音の周波数、音圧をアップもしくはダウンさせることが可能となる。アップダウンマークＳ１は上下に並設されたアップマークＸとダウンマークＹとからなり、アップマークＸは周波数や音圧の値をアップ（増加）させることができ、ダウンマークＹは周波数や音圧の値をダウン（減少）させることができる。
【００２２】
なお、これらアップマークＸ、ダウンマークＹは、図３に示すようにシートベルト未着用警報音の周波数Ｆ１、音圧Ｐ、コーナーセンサ警報音の周波数Ｆ２、音圧Ｐ、バックソナー警報音の周波数Ｆ３、音圧Ｐのそれぞれに設けられている。
【００２３】
また、初期画面３００の右方に設けられたプレビューマーク（プレビュー表示）Ｓ２を選択することで事前にリアルタイムで所定の周波数、音圧を有する各警報音を確認することが可能となる。
【００２４】
具体的には、制御手段２０２は、プレビューマークＳ２の選択を検出すると、ミキシング手段２５０、アンプ２６０を介して、スピーカ２７０から各種警報音を聴覚情報として吹鳴させる。これにより利用者は所定の聴覚特性（周波数、音圧）を有する警報音（シートベルト未着用警報音、コーナーセンサ警報音、バックソナー警報音のうち何れか１つの警報音）を予め確認することができる。このように、初期画面３００に設けられたプレビューマークＳ２は、第２の記憶手段２０４に登録される各種設定の内容を聴覚情報提供手段２４０により予め認識させるために設定されたものである。
【００２５】
なお、例えばシートベルト未着用警報音に対応するプレビューマークＳ２が選択され、利用者がシートベルト未着用警報音を聴取している途中で、再度、利用者がシートベルト未着用警報音に対応するプレビューマークＳ２を選択操作したとき、制御手段２０２による制御のもと、シートベルト未着用警報音の吹鳴を停止させてもよい。
【００２６】
このようにして各警報音の聴覚特性（周波数及び音圧）の選択と確認を行った後、利用者が初期画面３００の中央下方に設けられた決定マーク（決定表示）Ｓ３の選択操作を行うと、制御手段２０２は、キーレスエントリ装置２２０を介して車両を利用している利用者の識別コード（識別情報）を特定し（ここでは識別コードとしてＩＤ１を得たものとする）、第２の記憶手段２０４の識別コードＩＤ１に関係付けられたエリアへ設定内容を記憶させる。この際、第２の記憶手段２０４に記憶される各種設定の内容には、聴覚特性（周波数及び音圧）に関する項目が含まれていることになる。なお、決定マークＳ３の左方に位置する次ページマーク（次ページ表示）Ｓ４を利用者が選択操作すると、制御手段２０２は、現在表示されている初期画面３００を図４に示す次の画面４００に切り替える制御を行う。
【００２７】
次の画面４００は、利用者が入力手段２１１を介して各警報音（各聴覚情報）に対する聴覚特性の選択をより簡単に行うための画面である。図４中、Ｓ５は年代を選択可能な年代選択マーク（年代選択表示）からなり、利用者が年代選択マークＳ５を選択操作して年代を選択すると、制御手段２０２は、図６に示すような、各年代毎に各周波数Ｆ１、Ｆ２、Ｆ３と補正音圧との関係が記述された音圧補正テーブル（つまり年代毎の各周波数Ｆ１、Ｆ２、Ｆ３に対する補正値）を参照して、この補正値を加算する等により音圧の補正演算を行う。
【００２８】
なお、音圧補正テーブルは、第２の記憶手段２０４に記録（記憶）されている。そして、この第２の記憶手段２０４に登録される各種設定の内容には、利用者の年齢に応じた音圧に関する補正項目が含まれていることになる。
【００２９】
そして、制御手段２０２は、例えば利用者が年代選択マークＳ５を選択操作して年代が６０代と選択されたとき、音圧補正テーブルを参照して、周波数Ｆ１を有するシートベルト未着用警報音の音圧を前述した初期音圧Ｐに補正値Ｄ１を加算した補正音圧Ｐ１とする演算処理を行う（図５（ｂ）参照）。また、制御手段２０２は、年代が６０代と選択されたとき、音圧補正テーブルを参照して、周波数Ｆ２を有するコーナーセンサ警報音の音圧を前述した初期音圧Ｐに補正値Ｄ２を加算した補正音圧Ｐ２とする演算処理を行う。また、制御手段２０２は、年代が６０代と選択されたとき、音圧補正テーブルを参照して、周波数Ｆ３を有するバックソナー警報音の音圧を前述した初期音圧Ｐに補正値Ｄ３を加算した補正音圧Ｐ３とする演算処理を行う。
【００３０】
このように本実施形態では、各警報音の周波数に対応させた各年代毎の補正量を、本来聞かせたい音圧（つまり前述した初期音圧Ｐ）に加算することにより音圧の補正を一括して行う構成となっている。別の言い方をすれば、複数種の聴覚情報である各警報音が利用者の年齢に応じた聴覚特性を有するように、各種設定の内容の選択は一括して選択可能に構成されることになる。
【００３１】
そして、利用者が次の画面４００の中央下方に設けられた決定表示である決定マークＳ６（もしくは前ページ表示である前ページマークＳ７）を選択操作すると、制御手段２０２は、各警報音の音圧（初期音圧）Ｐを自動的に前述した補正音圧Ｐ１、Ｐ２、Ｐ３に変更（更新）するような制御を行う。
【００３２】
従って、周波数Ｆ１を有するシートベルト未着用警報音の音圧が補正音圧Ｐ１、周波数Ｆ２を有するコーナーセンサ警報音の音圧が補正音圧Ｐ２、周波数Ｆ３を有するバックソナー警報音の音圧が補正音圧Ｐ３にそれぞれ設定されることになる。なお、その後、前ページマークＳ７が選択され初期画面３００に画面が戻った際に、利用者がプレビューマークＳ２を選択操作すると、利用者は、音圧が変更（補正）された各警報音（例えば音圧Ｐ１のシートベルト未着用警報音）を聴取することが可能となる。
【００３３】
なお、本実施形態の場合、シートベルト未着用警報音の周波数Ｆ１、コーナーセンサ警報音の周波数Ｆ２、バックソナー警報音の周波数Ｆ３の大小関係は、周波数Ｆ１＜周波数Ｆ２＜周波数Ｆ３という大小関係に設定されているとともに、一般的に人間の聴力は年齢が高くなるとともに高い周波数の音が聞こえにくくなることから、例えば図６に示す音圧補正テーブルにおいて、６０代の補正値Ｄ１、Ｄ２、Ｄ３の大小関係は、周波数Ｆ１＜周波数Ｆ２＜周波数Ｆ３の関係と比例するように補正値Ｄ１＜補正値Ｄ２＜補正値Ｄ３という大小関係に設定されている。なお、６０代以外の年代についても同様な大小関係であることは言うまでもない。
【００３４】
さらに、図６に示す音圧補正テーブルにおいて、シートベルト未着用警報音の周波数Ｆ１に対する年代毎の補正値Ａ１、Ｂ１、Ｃ１、Ｄ１、Ｅ１の大小関係は、年齢の増加に伴い大きくなるように（つまり補正値Ａ１＜補正値Ｂ１＜補正値Ｃ１＜補正値Ｄ１＜補正値Ｅ１という大小関係に）設定されている。残りのコーナーセンサ警報音の周波数Ｆ２、バックソナー警報音の周波数Ｆ３に対する年代毎の補正値の大小関係についても同様であることは言うまでもない。
【００３５】
以上のように本実施形態では、車両情報を含む聴覚情報を利用者に提供する聴覚情報提供手段２４０と、聴覚情報に関する各種設定を登録するカスタマイズモードを有する制御手段２０２と、カスタマイズモードにおける各種設定の内容を定めるための入力手段２１１と、各種設定の内容を登録するための記憶手段である第２の記憶手段２０４とを備えた車両用情報提供装置において、第２の記憶手段２０４に登録される各種設定の内容には、利用者の年齢に応じた音圧（聴覚特性）に関する補正項目が含まれていることにより、利用者の年齢に応じた各警報音（シートベルト未着用警報音等）の音圧最適化を簡単な操作にて行うことができ、これによりカスタマイズ登録の使い勝手が向上し、利便性のある車両用情報提供装置を提供することが可能となる。
【００３６】
また本実施形態では、各種設定の内容を表示する表示部１０１である初期画面３００を備え、この初期画面３００は、第２の記憶手段２０４に登録される各種設定の内容を聴覚情報提供手段２４０により予め認識させるために設定されたプレビューマークＳ２を備えていることにより、利用者は聴覚情報の確認操作を容易に行うことができるというメリットがある。
【００３７】
また本実施形態では、利用者が次の画面４００に表示されている年代選択マークＳ５を選択操作することで、利用者の年齢に応じた各警報音の音圧最適化を行うものであったが、例えば次の画面４００に表示されている調整マーク（調整スイッチ）Ｓ８の操作に基づいて各警報音の音圧最適化を行う構成としてもよい。
【００３８】
この場合、利用者は、まず初期画面３００において、例えばバックソナー警報音に対応するプレビューマークＳ２を操作し、音圧Ｐを有するバックソナー警報音を聴取している際に次ページマークＳ３を操作する。すると、初期画面３００から次の画面４００に移行し、ここで利用者がバックソナー警報音の音圧が小さいと感じているとき、利用者は調整マークＳ８のアップマークＭを操作し、制御手段２０２による制御のもと、利用者は聴覚情報提供手段２４０から出力される吹鳴音を聴取しながら、調整マークＳ８のアップマークＭあるいは調整マークＳ８のダウンマークＮを操作し、最適な音圧値である音圧Ａ４で調整マークＳ８の操作が完了したとする。
【００３９】
ここで、制御手段２０２は、前述した音圧補正デーブルを参照して、周波数Ｆ３を有するバックソナー警報音の初期音圧Ｐと最適な音圧値である音圧Ａ４との差を演算し、利用者の年代を推定する制御を行う。例えば周波数Ｆ３を有するバックソナー警報音の初期音圧Ｐと最適な音圧値である音圧Ａ４との差が、補正値Ｄ３に最も近いとき、制御手段２０２による制御のもと、利用者の年代は６０代であると推定される。
【００４０】
すると、各種設定の内容の選択は、複数種の聴覚情報が利用者の年齢に応じた聴覚特性を有するように一括して選択可能に構成される。つまり、制御手段２０２は、周波数Ｆ１を有するシートベルト未着用警報音の音圧の補正値をＤ１、周波数Ｆ２を有するコーナーセンサ警報音の音圧の補正値をＤ２、周波数Ｆ３を有するバックソナー警報音の音圧の補正値をＤ３と選択する。
【００４１】
そして、制御手段２０２は、周波数Ｆ１を有するシートベルト未着用警報音の音圧を初期音圧Ｐに補正値Ｄ１を加算した補正音圧Ｐ１とする演算処理を行い、周波数Ｆ２を有するコーナーセンサ警報音の音圧を初期音圧Ｐに補正値Ｄ２を加算した補正音圧Ｐ２とする演算処理を行い、周波数Ｆ３を有するバックソナー警報音の音圧を初期音圧Ｐに補正値Ｄ３を加算した補正音圧Ｐ３とする演算処理を行う。
【００４２】
ここで、利用者が次の画面４００の決定マークＳ６（もしくは前ページマークＳ７）を選択操作すると、制御手段２０２は、各警報音の音圧（初期音圧）Ｐを自動的に補正音圧Ｐ１、Ｐ２、Ｐ３に変更（更新）するような制御を行う。なお、その後、前ページマークＳ７が選択され初期画面３００に画面が戻った際に、利用者がプレビューマークＳ２を選択操作すると、利用者は、音圧が変更（補正）された各警報音（例えば音圧Ｐ１のシートベルト未着用警報音）を聴取することが可能となる。以上のように、本実施形態の変形例においても、各警報音の音圧最適化を簡単な操作にて行うことができ、これによりカスタマイズ登録の使い勝手が向上し、利便性のある車両用情報提供装置を提供することが可能となる。
【００４３】
（第２実施形態）次に、本発明の第２実施形態を図７、図８に基づいて説明するが、前述した第１実施形態と同一もしくは相当個所には同一の符号を用いてその詳細な説明は省略する。この第２実施形態が、前記第１実施形態と異なる点は、各警報音の聴覚特性の補正を音圧ではなく周波数により行う点にある。
【００４４】
この場合、例えば利用者が図４に示す年代選択マークＳ５を選択操作して年代を６０代に選択すると、制御手段２０２は、図７に示すような周波数補正テーブルを参照して、各警報音（シートベルト未着用警報音、コーナーセンサ警報音、バックソナー警報音）に対する周波数補正係数を選択する（例えば年代が６０代であれば周波数補正係数として補正係数Ｊを選択する）。
【００４５】
なお、周波数補正テーブルは、第２の記憶手段２０４に記録（記憶）されている。そして、この第２の記憶手段２０４に登録される各種設定の内容には、利用者の年齢に応じた周波数に関する補正項目が含まれていることになる。
【００４６】
そして、図８に示すように、シートベルト未着用警報音の初期周波数である周波数Ｆ１、コーナーセンサ警報音の初期周波数である周波数Ｆ２並びにコーナーセンサ警報音の初期周波数である周波数Ｆ３に、この補正係数Ｊを乗算した補正周波数Ｆ１’、Ｆ２’、Ｆ３’を新たな周波数として選択する。つまり、このことは、シートベルト未着用警報音の周波数が初期周波数Ｆ１から補正周波数Ｆ１’に補正され、コーナーセンサ警報音の周波数が初期周波数Ｆ２から補正周波数Ｆ２’に補正され、さらにバックソナー警報音の周波数が初期周波数Ｆ３から補正周波数Ｆ３’に補正されることを意味してなる。
【００４７】
そして、利用者が次の画面４００の中央下方に設けられた決定マークＳ６（もしくは前ページマークＳ７）を選択操作すると、制御手段２０２は、各警報音の周波数を初期周波数Ｆ１、Ｆ２、Ｆ３から自動的に前述した補正周波数Ｆ１’、Ｆ２’、Ｆ３’に変更（更新）するような制御を行う。なお、その後、前ページマークＳ７が選択され初期画面３００に画面が戻った際に、利用者がプレビューマークＳ２を選択操作すると、利用者は、周波数が変更（補正）された各警報音（例えば周波数Ｆ１’のシートベルト未着用警報音）を聴取することが可能となる。
【００４８】
また、この場合、一般的に人間の聴力は年齢が高くなるとともに高い周波数の音が聞こえにくくなることから、周波数補正係数は１以下の値に設定されている。さらに、図８に示す周波数補正テーブルにおいて、各周波数Ｆ１、Ｆ２、Ｆ３に対する年代毎の周波数補正係数Ｇ、Ｈ、Ｉ、Ｊ、Ｋの大小関係は、年齢が高くなればなるほど周波数の減少度合いが大きくなるように（つまり周波数補正係数Ｇ＞周波数補正係数Ｈ＞周波数補正係数Ｉ＞周波数補正係数Ｊ＞周波数補正係数Ｋという大小関係に）設定されている。
【００４９】
かかる第２実施形態によれば、第２の記憶手段２０４に登録される各種設定の内容には、利用者の年齢に応じた周波数に関する補正項目が含まれていることにより、利用者の年齢に応じた各警報音（シートベルト未着用警報音等）の周波数最適化を簡単な操作にて行うことができ、これによりカスタマイズ登録の使い勝手が向上し、利便性のある車両用情報提供装置を提供することが可能となる。
【産業上の利用可能性】
【００５０】
本発明は、聴覚情報提供手段を利用した車両用情報提供装置に関し、車両情報を表示する車両用メータのみならず、車両に搭載されるナビゲーション装置やマルチディスプレイ装置等の車両用情報提供装置にも適用可能である。
【図面の簡単な説明】
【００５１】
【図１】本発明の実施形態による車両用情報提供装置の概観図である。
【図２】同実施形態による車両用情報提供装置のブロック図である。
【図３】同実施形態によるカスタマイズモード実行時における初期画面を示す図である。
【図４】同実施形態によるカスタマイズモード実行時における次の画面を示す図である。
【図５】（ａ）は音圧変更前の警報音の音圧ー周波数特性を示す図であり、（ｂ）は音圧変更後の警報音の音圧ー周波数特性を示す図である。
【図６】同実施形態による音圧補正テーブルを示す図である。
【図７】本発明の第２実施形態による周波数変更後の警報音の音圧ー周波数特性を示す図である。
【図８】同第２実施形態による周波数補正テーブルを示す図である。
【符号の説明】
【００５２】
１００  車両用情報提供装置
１０１  表示部
２０２  制御手段
２０３  第１の記憶手段
２０４  第２の記憶手段（記憶手段）
２１０  設定手段（カスタマイズモード設定端子）
２１１  入力手段
２１２  車両情報端子
２１３  多重通信入出力端子
２２０  キーレスエントリ装置
２３０  多重通信ライン
２４０  聴覚情報提供手段
２５０  ミキシング手段
２６０  アンプ
２７０  スピーカ
【図１】
0005822176.tif 000002
【図２】
0005822176.tif 000003
【図３】
0005822176.tif 000004
【図４】
0005822176.tif 000005
【図５】
0005822176.tif 000006
【図６】
0005822176.tif 000007
【図７】
0005822176.tif 000008
【図８】
0005822176.tif 000009